【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
撮像手段と、
第１の記録モードと第２の記録モードとを有し、前記撮像手段により得られた動画データを含む動画ファイルを記録媒体に記録する手段であって、前記第１の記録モードにおいて、ユーザによる記録指示に応じて自動的に所定時間の動画データを一つのチャプタとして前記記録媒体に記録するとともに前記記録媒体に前記第１の記録モードで記録済みの所定の動画ファイルに対して前記チャプタの動画データを結合して前記所定の動画ファイルが複数の前記チャプタを含むようにし、前記第２の記録モードにおいて、ユーザからの記録開始の指示に応じて前記動画データの記録を開始し、記録停止の指示に応じて前記動画データの記録を停止する、記録手段と、
前記記録媒体に記録された複数の前記動画ファイルから、編集対象の動画ファイルを選択する選択手段と、
前記選択手段により選択された前記編集対象の動画ファイルに含まれる動画データの編集位置を、ユーザからの指示に応じて指定する手段であって、前記編集対象の動画ファイルに前記チャプタが含まれているか否かを判別し、前記編集対象の動画ファイルに前記チャプタが含まれていると判別した場合、前記編集対象の動画ファイルにおける前記チャプタの結合位置に対応した位置を前記編集位置として指定し、前記編集対象の動画ファイルに前記チャプタが含まれていないと判別した場合、所定数のフレームを単位として前記編集位置を指定する指定手段と、
前記指定手段により指定された前記編集位置に応じて、前記編集対象の動画ファイルの編集処理を行う処理手段とを備える画像処理装置。
【請求項２】
ユーザによる記録指示により所定時間の動画データが自動的に一つのチャプタとして記録され、複数の前記チャプタの動画データが結合されている動画ファイルと、前記チャプタを含まない動画ファイルと、を含む、記録媒体に記録された動画ファイルを編集する装置であって、
前記記録媒体に記録された複数の前記動画ファイルから、編集対象の動画ファイルを選択する選択手段と、
前記選択手段により選択された前記編集対象の動画ファイルに含まれる動画データの編集位置を、ユーザからの指示に応じて指定する手段であって、前記編集対象の動画ファイルに前記チャプタが含まれているか否かを判別し、前記編集対象の動画ファイルに前記チャプタが含まれていると判別した場合、前記編集対象の動画ファイルにおける前記チャプタの結合位置に対応した位置を前記編集位置として指定し、前記編集対象の動画ファイルに前記チャプタが含まれていないと判別した場合、所定数のフレームを単位として前記編集位置を指定する指定手段と、
前記指定手段により指定された前記編集位置に応じて、前記編集対象の動画ファイルの編集処理を行う処理手段とを備える画像処理装置。
【請求項３】
前記編集対象の動画ファイルに含まれる動画データの再生時間における、前記編集位置を示すインジケータを表示装置に表示する表示制御手段を備え、
前記表示制御手段は、前記指定手段により指定された前記編集位置に応じて、前記表示装置に表示される前記インジケータの位置を変更することを特徴とする請求項１または２に記載の画像処理装置。
【請求項４】
前記編集処理は、前記編集位置よりも前の動画データを前記記録媒体から消去する処理と、前記編集位置よりも後の動画データを前記記録媒体から消去する処理とを含むことを特徴とする請求項１または２に記載の画像処理装置。
【請求項５】
前記編集位置は、第１の位置と、第２の位置とを含み、
前記編集処理は、前記第１の位置よりも前の動画データを前記記録媒体から消去する処理と、前記第２の位置よりも後の動画データを前記記録媒体から消去する処理とを含み、前記指定手段は、一つの前記編集対象の動画ファイルについて、前記第１の位置と前記第２の位置とを共に指定することを特徴とする請求項４に記載の画像処理装置。
【請求項６】
前記第１の記録モードにおいて、前記記録手段は、前記記録指示に応じて、前記撮像手段により得られた静止画データを前記記録媒体に記録するとともに、前記記録指示の直前の前記所定時間の動画データを前記チャプタとして自動的に前記記録媒体に記録することを特徴とする請求項１に記載の画像処理装置。
【請求項７】
第１の記録モードと第２の記録モードとを有し、撮像手段により得られた動画データを含む動画ファイルを記録媒体に記録する工程であって、前記第１の記録モードにおいて、ユーザによる記録指示に応じて自動的に所定時間の動画データを一つのチャプタとして前記記録媒体に記録するとともに前記記録媒体に前記第１の記録モードで記録済みの所定の動画ファイルに対して前記チャプタの動画データを結合して前記所定の動画ファイルが複数の前記チャプタを持つようにし、前記第２の記録モードにおいて、ユーザからの記録開始の指示に応じて前記動画データの記録を開始し、記録停止の指示に応じて前記動画データの記録を停止する、記録工程と、
前記記録媒体に記録された複数の前記動画ファイルから、編集対象の動画ファイルを選択する選択工程と、
前記選択工程により選択された前記編集対象の動画ファイルに含まれる動画データの編集位置を、ユーザからの指示に応じて指定する工程であって、前記編集対象の動画ファイルに前記チャプタが含まれているか否かを判別し、前記編集対象の動画ファイルに前記チャプタが含まれていると判別した場合、前記編集対象の動画ファイルにおける前記チャプタの結合位置に対応した位置を前記編集位置として指定し、前記編集対象の動画ファイルに前記チャプタが含まれていないと判別した場合、所定数のフレームを単位として前記編集位置を指定する指定工程と、
前記指定工程により指定された前記編集位置に応じて、前記編集対象の動画ファイルの編集処理を行う処理工程とを有する画像処理方法。
【請求項８】
ユーザによる記録指示により所定時間の動画データが自動的に一つのチャプタとして記録され、複数の前記チャプタの動画データが結合されている動画ファイルと、前記チャプタを含まない動画ファイルと、を含む、記録媒体に記録された動画ファイルを編集する方法であって、
前記記録媒体に記録された複数の前記動画ファイルから、編集対象の動画ファイルを選択する選択工程と、
前記選択工程により選択された前記編集対象の動画ファイルに含まれる動画データの編集位置を、ユーザからの指示に応じて指定する工程であって、前記編集対象の動画ファイルに前記チャプタが含まれているか否かを判別し、前記編集対象の動画ファイルに前記チャプタが含まれていると判別した場合、前記編集対象の動画ファイルにおける前記チャプタの結合位置に対応した位置を前記編集位置として指定し、前記編集対象の動画ファイルに前記チャプタが含まれていないと判別した場合、所定数のフレームを単位として前記編集位置を指定する指定工程と、
前記指定工程により指定された前記編集位置に応じて、前記編集対象の動画ファイルの編集処理を行う処理工程とを有する画像処理方法。
【手続補正２】
【補正対象書類名】明細書
【補正対象項目名】０００６
【補正方法】変更
【補正の内容】
【０００６】
本発明は、撮像手段と、第１の記録モードと第２の記録モードとを有し、前記撮像手段により得られた動画データを含む動画ファイルを記録媒体に記録する手段であって、前記第１の記録モードにおいて、ユーザによる記録指示に応じて自動的に所定時間の動画データを一つのチャプタとして前記記録媒体に記録するとともに前記記録媒体に前記第１の記録モードで記録済みの所定の動画ファイルに対して前記チャプタの動画データを結合して前記所定の動画ファイルが複数の前記チャプタを含むようにし、前記第２の記録モードにおいて、ユーザからの記録開始の指示に応じて前記動画データの記録を開始し、記録停止の指示に応じて前記動画データの記録を停止する、記録手段と、前記記録媒体に記録された複数の前記動画ファイルから、編集対象の動画ファイルを選択する選択手段と、前記選択手段により選択された前記編集対象の動画ファイルに含まれる動画データの編集位置を、ユーザからの指示に応じて指定する手段であって、前記編集対象の動画ファイルに前記チャプタが含まれているか否かを判別し、前記編集対象の動画ファイルに前記チャプタが含まれていると判別した場合、前記編集対象の動画ファイルにおける前記チャプタの結合位置に対応した位置を前記編集位置として指定し、前記編集対象の動画ファイルに前記チャプタが含まれていないと判別した場合、所定数のフレームを単位として前記編集位置を指定する指定手段と、前記指定手段により指定された前記編集位置に応じて、前記編集対象の動画ファイルの編集処理を行う処理手段とを備える。